(57)【特許請求の範囲】
【請求項１】
水道水等原水の電気分解によって得られた電解機能水を貯える保存タンクと、この保存タンクに貯えられている電解機能水に高電圧を印加する高電圧発生装置とを備えた電解機能水の保存装置。
【請求項２】
前記電解機能水が水中の二酸化炭素を除去された水道水等原水の有隔膜電解槽での電気分解によって得られたアルカリ性水であり、前記保存タンクとして密封可能なタンクを採用するとともに、同タンク内のアルカリ性水上に形成される密封空間にアルカリ性水に対して低溶解度の不活性ガスを供給するガス供給装置を設けたことを特徴とする請求項１記載の電解機能水の保存装置。
【発明の詳細な説明】
【０００１】
【発明の属する技術分野】
本発明は、水道水等原水の電気分解によって得られた電解機能水の保存装置に関する。
【０００２】
【従来の技術と発明が解決しようとする課題】
水道水等原水の電気分解によって得られた電解機能水（有隔膜電解槽にて得られる酸性水及びアルカリ性水、或いは無隔膜電解槽にて得られるアルカリ性水）は、単にタンク（ポリプロピレン、ポリエチレン、塩化ビニール、ガラス等の容器）に収容されて保存されることがある。
【０００３】
ところで、水道水等原水の電気分解によって得られた電解機能水では、ＯＨ-、Ｈ+イオンがＮａＯＨやＨＣｌ等と異なり対イオンを持たないため不安定であり、これをタンクに収容して保存した場合には、不安定なイオンがタンク内壁等の界面に移行して安定化するため、電解機能水の性質は経時的に低下して水道水等原水に近づく。
【０００４】
また、有隔膜の電解槽にて得られたアルカリ性水では、水道水等原水に対して金属イオンの濃度が増加するが、その内カルシウム、マグネシウム等のアルカリ土類金属は水中の二酸化炭素と結合して水に不溶性の炭酸塩となって析出するため、金属イオンの濃度は経時的に低下する。
【０００５】
【課題を解決するための手段】
本発明は、上記した問題に対処すべくなされたものであり、電解機能水の保存装置を、水道水等原水の電気分解によって得られた電解機能水を貯える保存タンクと、この保存タンクに貯えられている電解機能水に高電圧を印加する高電圧発生装置とを備える構成とした。前記電解機能水が水中の二酸化炭素を除去された水道水等原水の有隔膜電解槽での電気分解によって得られたアルカリ性水である場合には、前記保存タンクとして密封可能なタンクを採用するとともに、同タンク内のアルカリ性水上に形成される密封空間にアルカリ性水に対して低溶解度の不活性ガスを供給するガス供給装置を設けることが望ましい。
【０００６】
【発明の作用・効果】
本発明による電解機能水の保存装置においては、保存タンクに貯えられている電解機能水に高電圧発生装置によって高電圧を印加することにより電解機能水に高圧静電場を加えることができ、これによって電解機能水中のイオンを活性化することができて、保存タンク内にて電解機能水をその性質を維持した状態にて長時間保存することができる。また、本発明による電解機能水の保存装置は、電解機能水に電流を流すことなく高電圧を印加して保存するものであるため、電解機能水を小電力にて保存でき、低コストにて保存することができる。
【０００７】
また、本発明による電解機能水の保存装置において、水中の二酸化炭素を除去された水道水等原水の有隔膜電解槽での電気分解によって得られたアルカリ性水を貯える保存タンクとして密封可能な保存タンクを採用するとともに、同タンク内のアルカリ性水上に形成される密封空間にアルカリ性水に対して低溶解度の不活性ガスを供給するガス供給装置を設けた場合には、アルカリ性水中に濃度を高められて存在しているカルシウム、マグネシウム等のアルカリ土類金属が水中或いは密封空間内の二酸化炭素と結合して水に不溶性の炭酸塩となるのを抑制・防止することができるため、金属イオンの濃度を高濃度に長時間維持することができる。
【０００８】
【発明の実施の形態】
以下に、本発明の一実施形態を図面に基づいて説明する。図１は、水道水等原水中の二酸化炭素をボンベ１１から供給されるヘリウムガスで除去するためのバブリング水槽１０と、このバブリング水槽１０から供給される原水（水中の二酸化炭素を除去された水）を電気分解して酸性水とアルカリ性水を生成する周知の有隔膜電解槽２０と、この有隔膜電解槽２０にて得られるアルカリ性水を保存する本発明による保存装置３０を概略的に示している。なお、ヘリウムガスは、下記表１に示したように、水に対して最も低溶解度の不活性ガスである。
【０００９】
【表１】
0003977908.tif 000002
【００１０】
保存装置３０は、有隔膜電解槽２０にて得られるアルカリ性水を貯えキャップ３１ａによって密封可能な保存タンク３１と、この保存タンク３１に貯えられているアルカリ性水に電極板３２ａを介して高電圧を印加する高電圧発生装置３２と、保存タンク３１を対地絶縁するための絶縁碍子３３と、保存タンク３１内のアルカリ性水上に形成される密封空間Ｒにヘリウムガスを供給するためのガス供給装置としてのガスボンベ３４を備えている。なお、ヘリウムガスはアルカリ性水に対しても最も低溶解度の不活性ガスである。
【００１１】
上記のように構成した本実施形態においては、水道水等原水がバブリング水槽１０に供給されて同水槽１０にて水中の二酸化炭素が除去され、その後に有隔膜電解槽２０に供給されて同電解槽２０にて酸性水とアルカリ性水が生成され、酸性水が適宜使用されるとともに、アルカリ性水が保存装置３０の保存タンク３１に導かれて保存タンク３１に貯えられる。また、保存タンク３１では、キャップ３１ａが外された状態にてガスボンベ３４からヘリウムガスが供給されて開放状態の密封空間Ｒ内から空気がタンク外に排出され、かかる状態にてキャップ３１ａが締め付けられて密封空間Ｒ内にヘリウムガスが充満している。なお、保存タンク３１内に保存されているアルカリ性水は給水管（図示省略）を通して取り出されて適宜使用される。
【００１２】
ところで、保存装置３０の保存タンク３１内では、アルカリ性水に高電圧発生装置３２から電極板３２ａを介して高電圧が印加されて高圧静電場が加えられ、これによってアルカリ性水中のＯＨ- イオンが活性化される。したがって、保存タンク３１内にてアルカリ性水をその性質を維持した状態にて長時間保存することができる。また、保存装置３０は、保存タンク３１内のアルカリ性水に電流を流すことなく高電圧を印加して保存するものであるため、アルカリ性水を小電力にて保存でき、低コストにて保存することができる。
【００１３】
また、本実施形態においては、有隔膜電解槽２０への原水の供給通路にバブリング水槽１０が設けられ、またアルカリ性水を貯える保存タンク３１としてキャップ３１ａによって密封可能な保存タンクが採用されるとともに、この保存タンク３１内のアルカリ性水上に形成される密封空間Ｒにアルカリ性水に対して低溶解度のヘリウムガスを供給するガスボンベ３４が設けられていて、アルカリ性水中に濃度を高められて存在しているカルシウム、マグネシウム等のアルカリ土類金属が水中或いは密封空間Ｒ内の二酸化炭素と結合して水に不溶性の炭酸塩となるのを抑制・防止することができるため、金属イオンの濃度を高濃度に長時間維持することができる。また、上記炭酸塩（スケール）の保存タンク３１等への付着・堆積も抑制・防止することができるため、保存装置３０のメンテナンスが容易である。
【００１４】
上記実施形態においては、バブリング水槽１０にてヘリウムガスを用いて原水中の二酸化炭素を除去するようにしたが、その他の脱気手段にて原水中の二酸化炭素を除去するようにして実施することも可能である。また、上記実施形態においては、有隔膜電解槽２０にて得られるアルカリ性水を保存する保存装置３０に本発明を実施したが、他の電解機能水、例えば有隔膜電解槽２０にて得られる酸性水或いは無隔膜電解槽にて得られるアルカリ性水を保存する保存装置としても本発明は実施可能である。これらの場合には、電解機能水中の金属イオン濃度が高められておらず、その炭酸塩の生成を抑制・防止する必要性が殆どないため、原水中の二酸化炭素を除去するガスボンベ１１が不要であるとともに、保存タンク３１のキャップ３１ａ及びガスボンベ３４が不要である。
【図面の簡単な説明】
【図１】  本発明による電解機能水の保存装置の一実施形態を概略的に示す図である。
【符号の説明】
１０…バブリング水槽、１１…ガスボンベ、２０…有隔膜電解槽、３０…保存装置、３１…保存タンク、３１ａ…キャップ、３２…高電圧発生装置、３３…絶縁碍子、３４…ガスボンベ（ガス供給装置）。
【図１】
0003977908.tif 000003